(57)【要約】【課題】虫の誘引阻止が向上できる防虫採光板状部材及びこれを用いた防虫開閉窓を提供すること。【解決手段】建物の採光部に取り付けられる防虫採光板状部材１において、建物の外部からの光を屈折させて建物の内部に取り込むとともに建物の内部からの光を建物の外部に放出しない凸凹面１ａを備えたことを特徴とする防虫採光板状部材。さらに、凸凹面１ａは、建物の内部からの光を複数回反射させて前記建物の内部に前記光を放出するものであり、この凸凹面１ａをプリズムにて形成したことを特徴とする。【選択図】        図１
2004254568.tif 000002
【特許請求の範囲】
【請求項１】
建物の採光部に取り付けられる防虫採光板状部材において、建物の外部からの光を屈折させて建物の内部に取り込むとともに建物の内部からの光を建物の外部に放出しない凸凹面を備えたことを特徴とする防虫採光板状部材。
【請求項２】
前記凸凹面は、建物の内部からの光を複数回反射させて前記建物の内部に前記光を放出するものであり、この凸凹面をプリズムにて形成したことを特徴とする請求項１記載の防虫採光板状部材。
【請求項３】
前記防虫採光板状部材は、可視光短波長がカットされる処理が施されたものであり、前記凸凹面が建物の内部からの光を外部にわずかに放出しても、その放出された光は可視光短波長がカットされたものとなることを特徴とする請求項１又は２記載の防虫採光板状部材。
【請求項４】
前記防虫採光板状部材は、紫外線がカットされる処理が施されたものであり、前記凸凹面が建物の内部からの光を外部にわずかに放出しても、その放出された光は紫外線がカットされたものとなることを特徴とする請求項１又は２記載の防虫採光板状部材。
【請求項５】
前記防虫採光板状部材を開閉する採光部に備えたことを特徴とする請求項１乃至４記載の防虫採光板状部材。
【請求項６】
請求項１乃至４記載の防虫採光板状部材を開閉するとともに可視光短波長がカットできる窓に取付けたことを特徴とする防虫開閉窓。
【請求項７】
請求項１乃至４記載の防虫採光板状部材を開閉するとともに紫外線がカットできる窓に取付けたことを特徴とする防虫開閉窓。
【発明の詳細な説明】
【０００１】
【発明の属する技術分野】
本発明は、建物の採光部から漏れる光に誘引される害虫を少なくできる防虫採光板状部材及びこれを備えた防虫開閉窓に関する。
【０００２】
【従来の技術】
この種の防虫採光板状部材としては、特開平１−１２２９３５号公報に開示されたものがあり、図９は、これに開示された防虫採光板状部材で、色々な条件で作られた部材１〜部材４において、所定の波長の光透過を阻止する割合を示した説明図、図１０は、この部材を使って虫の誘引阻止がどれだけ行えたかを示す説明図である。
【０００３】
この防虫採光板状部材は、基材は、ガラスで形成されており、光透過阻止率が、２００〜４００ｎｍの波長の光に対して８５％以上であり、５５０〜７００ｎｍの波長の光に対して６０％以下となるように遮光剤をガラスに含有させたものである。具体的には、遮光剤にＡｓ２Ｏ３を０．０５〜０．４重量％含んだものとし、遮光材の組成や含有する割合を変えることで、部材１〜部材４を図９に示すような光透過阻止率を有するように形成したものである。
【０００４】
そして、この部材１〜部材４を用いて虫の誘引阻止がどれだけ行えたかを図１０に示している。このものでは、部材１において８７．０％、部材２において８４．０％、部材３において７８．１％、部材４において８８．８％の虫の誘引が阻止できものとなっている。なお、この場合において、虫の誘引阻止率は、以下の通りで規定している。
虫の誘引阻止率＝［（Ａ−Ｂ）／Ａ×１００］
Ａ：防虫処理を行なっていない防虫採光板状部材に集まる昆虫数
Ｂ：防虫処理を行なった防虫採光板状部材を使ったときに集まる昆虫数
【０００５】
【特許文献１】
特開平１−１２２９３５号公報
【０００６】
【発明が解決しようとする課題】
ところで前記した防虫採光板状部材は、虫の誘引が７８．１％〜８８．８％とかなり高いレベルで阻止できるものであった。しかし、防虫採光板状部材においては、その用途によっては、虫の誘引阻止をさらに高いレベルで要望されることがあり、特に、開閉が行われる窓などでは、この要望が強い場合があった。また、防虫採光板状部材は、建物全体として見たときを考慮すると、その意匠性も要求されることがあり、防虫採光板状部材が着色されることが好まれない場合もあった。
【０００７】
本発明は、上記事由に鑑みてなしたもので、その目的とするところは、虫の誘引阻止が向上できる防虫採光板状部材及びこれを用いた防虫開閉窓を提供することにある。
【０００８】
【課題を解決するための手段】
請求項１に係る発明の防虫採光板状部材は、建物の採光部に取り付けられる防虫採光板状部材において、建物の外部からの光を屈折させて建物の内部に取り込むとともに建物の内部からの光を建物の外部に放出しない凸凹面を備えたことを特徴とする。なお、建物の内部からの光を建物の外部に放出しないとは、建物の内部からの光１００％に対し、１０％程度以下の光しか建物の外部に放出しないものをいう。
【０００９】
請求項２に係る発明の防虫採光板状部材は、請求項１において、前記凸凹面は、建物の内部からの光を複数回反射させて前記建物の内部に前記光を放出するものであり、この凸凹面をプリズムにて形成したことを特徴とする。
【００１０】
請求項３に係る発明の防虫採光板状部材は、請求項１又は２において、前記防虫採光板状部材は、可視光短波長がカットされる処理が施されたものであり、前記凸凹面が建物の内部からの光を外部にわずかに放出しても、その放出された光は可視光短波長がカットされたものとなることを特徴とする。なお、可視光短波長とは、略４２０ｎｍ以下の波長の光をいう。
【００１１】
請求項４に係る発明の防虫採光板状部材は、請求項１又は２において、前記防虫採光板状部材は、紫外線がカットされる処理が施されたものであり、前記凸凹面が建物の内部からの光を外部にわずかに放出しても、その放出された光は紫外線がカットされたものとなることを特徴とする。なお、紫外線とは、略３８０ｎｍ以下の波長の光をいう。
【００１２】
請求項５に係る発明の防虫採光板状部材は、請求項１乃至４において、前記防虫採光板状部材を開閉する採光部に備えたことを特徴とする。
【００１３】
請求項６に係る発明の防虫開閉窓は、請求項１乃至４記載の防虫採光板状部材を開閉するとともに可視光短波長がカットできる窓に取付けたことを特徴とする。
【００１４】
請求項７に係る発明の防虫開閉窓は、請求項１乃至４記載の防虫採光板状部材を開閉するとともに紫外線がカットできる窓に取付けたことを特徴とする。
【００１５】
【発明の実施の形態】
本発明の実施の形態を図１、図２を用いて説明する。図１は防虫採光板状部材を建物の開閉する採光部たとえば、窓ガラスに備えた場合の要部断面図、図２は防虫採光板状部材の要部断面図である。
【００１６】
この防虫採光板状部材１は、ガラス材料や樹脂材料などで厚さ０．１ｍｍ〜３ｍｍ程度のシート状に形成されており、その片側面に建物の外部からの光を屈折させて建物の内部に取り込むとともに建物の内部からの光を建物の外部に放出しない凸凹面１ａを備えている。ここで凸凹面１ａは、所謂、プリズムにて形成されており、図２では、その凸凹面１ａの断面は、略直角二等辺三角形をなしている。また、凸凹面１ａと反対側の面は、略水平な面１ｂとなっている。そして、シート状に形成された防虫採光板状部材１は、凸凹面１ａを外側に向けて、建物の開閉する採光部である窓ガラス２に取り付けられている。なお、３は、建物の壁面を、４は建物内の照明を示していおり、この場合において照明４は、虫を誘引させる光を放つものである。
【００１７】
このように構成された防虫採光板状部材１を建物の開閉する採光部たとえば、窓ガラス２に用いると、建物の外部からの光と、建物の内部からの光は、各々次のようになる。まず、建物の外部からの光は、窓ガラス２を通過して、さらに防虫採光板状部材１の凸凹面１ａで屈折して建物の内部に取り込まれることになる。この状態を図２のＸで示しており、このものでは、外光の約７０％の光が内部に取り込まれるものとなる。また、建物の内部からの光は、防虫採光板状部材１の略水平な面１ｂから防虫採光板状部材１の中に入り、やがてこの光は凸凹面１ａに当たるものとなる。そして、この凸凹面で２回、反射して建物の内部に再度光が放出されるものとなる。この状態を図２のＹで示しており、このものでは、内部から来た光が外部に放出されるのは、約５％となる。
【００１８】
そして、このときにおいて、どれだけの虫の誘引を阻止できたかを示す虫の誘引阻止率は、我々の実験結果によると８２％となった。なお、この場合において、虫の誘引阻止率は、以下の通りに規定している。
虫の誘引阻止率＝［（Ａ−Ｂ）／Ａ×１００］
Ａ：防虫採光板状部材１を用いなかったときに集まる昆虫数
Ｂ：防虫採光板状部材１を用いたときに集まる昆虫数
この実施の形態によると、建物の外部からの光を屈折させて建物の内部に取り込むとともに建物の内部からの光を建物の外部に放出しない凸凹面１ａを備えたことにより、建物の内部からの光が約５％程度しか、外部に放出されないので、これにより虫の誘引阻止が向上できるものとなる。
【００１９】
また、凸凹面１ａは、建物の内部からの光を複数回反射させて建物の内部に光を放出するものであり、この凸凹面１ａをプリズムにて形成したことにより、凸凹面１ａを簡単に構成することができるとともに、建物の内部に再度光が放出されるので、建物の内部が明るくなり、照明などから放出された光を有効に活用することができる。さらに、防虫採光板状部材１を開閉する採光部、例えば、窓ガラスに備えることにより、窓ガラスを開閉したときに虫が侵入することを低減できるものとなる。
【００２０】
なお、凸凹面の形状は、図２に示したもの以外に、図３に示した四角錐のものや図４に示した再帰反射型プリズムを形成するための形状のものでもかまわない。ここで、図３の形状のものでは、建物の外部からの光は、Ｘで示されるように防虫採光板状部材１の凸凹面１ａで屈折して建物の内部に取り込まれることになり、外光の約７２％の光が内部に取り込まれるものとなる。また、建物の内部からの光は、防虫採光板状部材１の略水平な面１ｂから防虫採光板状部材１の中に入り、やがてこの光は凸凹面１ａに当たるものとなり、凸凹面で複数回、反射して建物の内部に再度光を放出するものとなる。この状態を示したものが図２のＹであり、このものでは、内部から来た光が外部に放出されるのは、約３％となる。
【００２１】
また、凸凹面の形状が図４のものでは、建物の外部からの光の約７０％の光が内部に取り込まれるものとなる。また、建物の内部からの光りが外部に放出されるのは、約１％となる。
【００２２】
なお、防虫採光板状部材１は、図５に示したもののように、建物の開閉する採光部たとえば、窓ガラス２の外側に設けられていても良い。このものにおいては図１に示したものと略同じ程度の虫の誘引阻止ができるものとなる。
【００２３】
また、従来は、窓ガラスなどで、虫を誘引する特定の波長をカットする処理を施して虫の誘引阻止を行っていたものがあったが、このものでは窓ガラスが着色してしまうことがあった。しかし、図１〜図５を用いて説明した防虫採光板状部材１は、防虫採光板状部材１を着色しないでも虫の誘引阻止が向上できるものであり、このために建物全体の意匠性を向上できるものとなる。
【００２４】
次に、この実施の形態の第１の応用例を説明する。図６は、この応用例を示す図で、防虫採光板状部材１を建物の開閉する採光部たとえば、窓ガラス２に備えた場合の要部断面図である。この応用例は、図５を用いて説明したものの窓ガラス２の構成を変えたものである。図において２ａは、窓ガラス２を可視光短波長がカットできるように処理したものである。通常この処理は、ガラスの表面に、可視光短波長がカットできるフイルムを貼り合わせたり、可視光短波長がカットできる蒸着膜を形成したり、あるいは、ガラスそのものを可視光短波長がカットできる組成にするなどの方法が取られる。
【００２５】
このように構成された防虫開閉窓は、可視光短波長がカットされる処理が施されているので、凸凹面１ａが建物の内部からの光を外部にわずかに放出しても、その放出された光は可視光短波長がカットされたものとなるので、さらに虫を寄せ付けにくいものとなり、このものにおいては、図５を用いて説明したもののにおける虫の誘引阻止率８２％以上の虫の誘引阻止ができるものとなる。なお、図５において、防虫採光板状部材１に図４で説明したものを用いると、防虫開閉窓は、建物の内部からの光を外部にさらに放出しにくくなるので我々の実験によると約１００％の虫の誘引阻止ができるものとなった。また、誘引阻止が下がるが、窓ガラス２に施した処理として、紫外線がカットできるようにしたものでもかまわない。
【００２６】
次に、この実施の形態の第２の応用例を説明する。図７は、この応用例を示す図で、防虫採光板状部材１を建物の開閉する採光部たとえば、窓ガラス２に備えた場合の要部断面図である。この応用例は、図１を用いて説明したものの窓ガラス２の構成を変えたものである。すなわち防虫採光板状部材１を可視光短波長がカットできるように処理したものである。通常この処理は、防虫採光板状部材１の表面に、可視光短波長がカットできるフイルムを貼り合わせたり、可視光短波長がカットできる蒸着膜を形成したり、あるいは、防虫採光板状部材１そのものを可視光短波長がカットできる組成にするなどの方法が取られ、図は防虫採光板状部材１の両側表面に、可視光短波長がカットできるフイルムを貼り合わせたものである。
【００２７】
このように構成された防虫開閉窓は、可視光短波長がカットされる処理が施されているので、凸凹面１ａが建物の内部からの光を外部にわずかに放出しても、その放出された光は可視光短波長がカットされたものとなるので、さらに虫を寄せ付けにくいものとなり、このものの場合は、我々の実験結果によると約９９％の虫の誘引阻止ができるものとなり、図１を用いて説明したもののにおける虫の誘引阻止率８２％に対してかなり良くできるものとなる。なお、ここでは防虫採光板状部材１を可視光短波長がカットできるように処理したもので説明したが、これは紫外線がカットできるようにしたものでもかまわない。この場合における虫の誘引阻止率は、約９６％となった。
【００２８】
次に、この実施の形態の第３の応用例を説明する。図８は、この応用例を示す図で、防虫採光板状部材１を建物の開閉する採光部たとえば、窓ガラス２の外側に備えた場合の要部断面図である。この応用例は、防虫採光板状部材１として図３に示したものを使用している。その他の図１を用いて説明したものと同一の構成部材には同一符号を付すことにより説明を省略する。このものは、防虫採光板状部材１の略水平な面１ｂを紫外線がカットできるように処理し、さらに窓ガラス２の建物の内側面を紫外線がカットできるように処理したものである。通常この処理は、防虫採光板状部材１や窓ガラス２の表面に、紫外線がカットできるフイルムを貼り合わせたり、紫外線がカットできる蒸着膜を形成したり、あるいは、防虫採光板状部材１や窓ガラス２そのものを紫外線がカットできる組成にするなどの方法が取られる。そして、ここでは紫外線がカットできるフイルムを防虫採光板状部材１の略水平な面１ｂと窓ガラス２の内側表面に貼り合わせている。
【００２９】
このように構成された防虫開閉窓は、我々の実験結果によると約９５％の虫の誘引阻止ができるものとなる。なお、もう少し虫の誘引阻止を上げるために、防虫採光板状部材１や窓ガラス２に施した処理として、可視光短波長がカットできるようにしたものでもかまわない。
【００３０】
なお、第１〜第３の応用例において紫外線とは、略３８０ｎｍ以下の波長の光をいい、可視光短波長とは、略４２０ｎｍ以下の波長の光をいう。
【００３１】
【発明の効果】
請求項１記載の発明にあっては、建物の採光部に取り付けられる防虫採光板状部材において、建物の外部からの光を屈折させて建物の内部に取り込むとともに建物の内部からの光を建物の外部に放出しない凸凹面を備えたことにより、建物の内部からの光がほとんど外部に放出されないので、これにより虫の誘引阻止が向上できるものとなる。
【００３２】
請求項２記載の発明にあっては、前記凸凹面は、建物の内部からの光を複数回反射させて前記建物の内部に前記光を放出するものであり、この凸凹面をプリズムにて形成したことにより、請求項１に記載した効果を奏するうえに、凸凹面を簡単に構成することができるとともに、建物の内部に再度光が放出されるので、建物の内部が明るくなり、照明などから放出された光を有効に活用することができる。
【００３３】
請求項３記載の発明にあっては、前記防虫採光板状部材は、可視光短波長がカットされる処理が施されたものであり、前記凸凹面が建物の内部からの光を外部にわずかに放出しても、その放出された光は可視光短波長がカットされたものとなることにより、請求項１又は２に記載した効果を奏するうえに、凸凹面が建物の内部からの光を外部にわずかに放出しても、その放出された光は可視光短波長がカットされたものとなるので、さらに虫を寄せ付けにくいものとできる。
【００３４】
請求項４記載の発明にあっては、前記防虫採光板状部材は、紫外線がカットされる処理が施されたものであり、前記凸凹面が建物の内部からの光を外部にわずかに放出しても、その放出された光は紫外線がカットされたものとなることにより、請求項１又は２に記載した効果を奏するうえに、凸凹面が建物の内部からの光を外部にわずかに放出しても、その放出された光は紫外線がカットされたものとなるので、さらに虫を寄せ付けにくいものとできる。
【００３５】
請求項５記載の発明にあっては、前記防虫採光板状部材は、前記防虫採光板状部材を開閉する採光部に備えたことにより、請求項１乃至４のいずれかに記載した効果を奏するうえに、窓ガラスを開閉したときに虫が建物内に侵入することを低減でき、さらに有用なものとなる。
【００３６】
請求項６記載の発明にあっては、請求項１乃至４記載の防虫採光板状部材を開閉するとともに可視光短波長がカットできる窓に取付けた防虫開閉窓とすることにより、請求項１乃至４に記載した効果をさらに高めることができる。
【００３７】
請求項７記載の発明にあっては、請求項１乃至４記載の防虫採光板状部材を開閉するとともに紫外線がカットできる窓に取付けたことにより、請求項１乃至４に記載した効果をさらに高めることができる。
【図面の簡単な説明】
【図１】本発明の実施の形態に係る防虫採光板状部材を建物の開閉する採光部に備えた場合の要部断面図である。
【図２】同上の防虫採光板状部材の要部断面図である。
【図３】同上の防虫採光板状部材の凸凹面を別の形状にしたときの防虫採光板状部材の要部斜視図である。
【図４】同上の防虫採光板状部材の凸凹面を再帰反射型プリズムで形成した場合の防虫採光板状部材の要部斜視図である。
【図５】同上の防虫採光板状部材を建物の開閉する採光部の外側に備えた場合の要部断面図である。
【図６】同上の防虫採光板状部材の第１の応用例を示す図で、防虫採光板状部材を建物の開閉する採光部に備えた場合の要部断面図である。
【図７】同上の防虫採光板状部材の第２の応用例を示す図で、防虫採光板状部材を建物の開閉する採光部に備えた場合の要部断面図である。
【図８】同上の防虫採光板状部材の第３の応用例を示す図で、防虫採光板状部材を建物の開閉する採光部の外側に備えた場合の要部断面図である。
【図９】従来例に係る防虫採光板状部材の所定の波長の光透過を阻止する割合を示しす説明図である。
【図１０】同上の防虫採光板状部材を用いて虫の誘引阻止がどれだけ行えたかを示しす説明図である。
【符号の説明】
１    防虫採光板状部材
１ａ  凸凹面
２    窓ガラス
３    建物の壁面
４    照明
Ｘ    建物の外部から建物の内部に取り込まれる光
Ｙ    建物の内部から入り再度建物の内部に放出される光
【図１】
2004254568.tif 000003
【図２】
2004254568.tif 000004
【図３】
2004254568.tif 000005
【図４】
2004254568.tif 000006
【図５】
2004254568.tif 000007
【図６】
2004254568.tif 000008
【図７】
2004254568.tif 000009
【図８】
2004254568.tif 000010
【図９】
2004254568.tif 000011
【図１０】
2004254568.tif 000012